(57)【要約】  【課題】  複雑な操作を不要にして、携帯電話器の外観を周囲の色に合わせて変更可能にする。  【解決手段】  携帯電話器１は、操作部２０での操作に応じてカメレオンモードに切り替え、撮像ボタン６の操作に応じて撮像部４で撮像を行い、画像処理部２７で撮像画像に含まれる色を検出し、検出した色の割合に基づく順位を制御部２１へ伝送する。制御部２１は順位が１位の色に対応する画像を記憶部２８に記憶された画像テーブル３１から読み出して筐体の外面に設けてある各表示部１１〜１８に表示する。画像テーブル３１に登録されている各画像は、対応する色で形成されているため、各表示部１１〜１８で順位が１位の画像を表示することにより、携帯電話器１の外観色は周囲に最も多く存在する色と同色になり、携帯電話器１の外観色を周囲の色に合わせて容易にコーディネートできる。【選択図】      図３
2006304112.tif 000002
【特許請求の範囲】
【請求項１】
撮像手段、及び筐体外面に設けてある表示部を備える携帯電気機器において、
複数の色毎に対応付けて画像が登録してある画像テーブルと、
前記撮像手段が撮像した撮像画像に含まれる色を検出する色検出手段と、
該色検出手段が検出した色の中で最も多く含まれる色を特定する色特定手段と、
該色特定手段が特定した色に対応する画像を前記画像テーブルから特定する画像特定手段と、
該画像特定手段が特定した画像を前記表示部で表示する処理を行う表示処理手段と
を備えることを特徴とする携帯電気機器。
【請求項２】
前記画像テーブルに登録してある画像は、該画像に対応付けてある色を含むことを特徴とする請求項１に記載の携帯電気機器。
【請求項３】
前記画像テーブルに登録してある画像は、該画像に対応付けてある色のみで形成してあることを特徴とする請求項１に記載の携帯電気機器。
【請求項４】
外部との通信を行う通信手段と、
該通信手段が着呼を受けた場合、着呼を通知する内容を前記色検出手段が検出した色の中で前記色特定手段が特定した色と相異する色で生成する内容生成手段と
を備え、
前記表示処理手段は、前記画像特定手段が特定した画像を背景にして前記内容生成手段が生成した内容を前記表示部で表示する処理を行うようにしてある請求項１乃至請求項３のいずれか１つに記載の携帯電気機器。
【請求項５】
キャラクタ画像を記憶する記憶手段と、
音を検出する音検出手段と
を備え、
前記音検出手段が音を検出した場合、前記表示処理手段は、前記画像特定手段が特定した画像を背景にして前記キャラクタ画像を前記表示部で表示する処理を行うようにしてある請求項１乃至請求項４のいずれか１つに記載の携帯電気機器。
【請求項６】
キャラクタ画像を記憶する記憶手段と、
振動を検出する振動検出手段と
を備え、
前記振動検出手段が振動を検出した場合、前記表示処理手段は、前記画像特定手段が特定した画像を背景にして前記キャラクタ画像を前記表示部で表示する処理を行うようにしてある請求項１乃至請求項４のいずれか１つに記載の携帯電気機器。
【請求項７】
前記画像テーブルには、特別画像が登録してあり、
前記撮像手段が撮像した撮像画像に係る輝度を特定する輝度特定手段と、
該輝度特定手段により特定された輝度が基準輝度未満であるか否かを判断する判断手段と
を備え、
前記輝度特定手段により特定された輝度が基準輝度未満であると前記判断手段で判断された場合、前記表示処理手段は、前記特別画像を前記表示部で表示する処理を行うようにしてある請求項１乃至請求項６のいずれか１つに記載の携帯電気機器。
【発明の詳細な説明】
【技術分野】
【０００１】
本発明は、筐体に設けた表示部で表示する内容を様々な状況に応じて変更し、周囲の状況にマッチした外観を得られるようにした携帯電気機器に関する。
【背景技術】
【０００２】
従来、ユーザと共に移動可能な携帯電気機器は筐体色に複数のバリエーションを揃えてユーザの嗜好に応じるようにしていることが多い。特に、ユーザが常時携帯する携帯電話器のような機器では、ファッショナブルなデザインの要求度が高いので、機器筐体の一部を取り替えて外観の色及び模様等を適宜変更可能にしているものがある。また、携帯電話器の一部には筐体の外面に表示部を設け、その表示部に様々な画像を表示してファッション性を高めたものも存在している。
【０００３】
一方、下記の特許文献１では、携帯電話器の筐体を可逆熱変色顔料で塗装し、周囲の温度により色及び模様等を変えられるものが開示されている。また、下記の特許文献２では、携帯電話器を含む様々な電気機器の筐体に不揮発性表示媒体を設けて、その不揮発性表示媒体に表示する画像又は色調を変化させることにより機器の外観を変化可能にしたものが開示されている。さらに、下記の特許文献３に係るカメラでは、モニタ用とは別に撮像レンズ側にも表示用液晶部を設けて、所定の操作を行うことで撮像画像又は処理を施した画像を表示用液晶部に表示して外観デザインを変更することが開示されている。
【特許文献１】特開２００２−６４６０３号公報
【特許文献２】特開２００４−６２０５２号公報
【特許文献３】特開２０００−２２９９５号公報
【発明の開示】
【発明が解決しようとする課題】
【０００４】
上述した各特許文献に開示されている機器では、外観色を周囲の色に合わせて容易に変化させられないと云う問題がある。例えば、特許文献１に係る携帯電話器は、単に周囲の温度により筐体の色及び模様等を変化させるにすぎない。そのため、携帯機器を所持するユーザが都会のビル街にいる場合と森の中にいる場合で、両方の場所の気温が同じであれば筐体の色及び模様等は変化せず、ビル街と森と云う異なる状況（周囲の色）の変化に対応して外観色を変化させられない。さらに、ユーザが赤色の洋服を着ている場合、携帯電話器の外観色も自動的に赤色に変化させて、ユーザの洋服に外観色をコーディネートさせるようなことも、特許文献１に係る携帯電話器では対応できない。
【０００５】
また、特許文献２においては、不揮発性表示媒体で表示させる内容は、不揮発性表示媒体を設けた電気機器に対して所定の操作を行って表示内容を変化させる必要があるので、ユーザが望むような色へ変化させるのに手間を要し、周囲の色に合わせた内容をスムーズに表示できない。さらに、特許文献３に係るカメラでも、撮像画像又は所定の処理を施した画像を表示するに留まるので、自動で周囲の色に合わせた表示を行えない。
【０００６】
さらに、上述した各特許文献に開示されている機器は、機器の作動状態及び周囲の状況変化等をユーザに通知する際に、外観変化は特に行わないので、ユーザは機器に係る状態を外観から容易に判断できにくいと云う問題もある。
【０００７】
本発明は上述した問題に鑑みてなされたものであり、携帯電気機器の周囲に存在する色を検出し、検出した中で最も多い色に合わせて機器筐体の外面に設けた表示部で表示を行うことにより、複雑な操作を行うことなしに機器外観を周囲の色に合わせてフレキシブルに変化できる携帯電気機器を提供することを目的とする。
また、本発明は、周囲から検出した色を含む画像を機器筐体の外面に設けた表示部で自動的に表示することにより、機器外観を周囲の色とコーディネート可能にしてファッション性を高めた携帯電気機器を提供することを目的とする。
【０００８】
さらに、本発明は機器の作動状況又は周囲状況の変化に応じて、周囲の色にマッチした画像を背景にして様々な内容を表示することにより、ユーザに楽しさを付与しながら各種状況を通知できるようにした携帯電気機器を提供することを目的とする。
【課題を解決するための手段】
【０００９】
上記課題を解決するために第１発明に係る携帯電気機器は、撮像手段、及び筐体外面に設けてある表示部を備える携帯電気機器において、複数の色毎に対応付けて画像が登録してある画像テーブルと、前記撮像手段が撮像した撮像画像に含まれる色を検出する色検出手段と、該色検出手段が検出した色の中で最も多く含まれる色を特定する色特定手段と、該色特定手段が特定した色に対応する画像を前記画像テーブルから特定する画像特定手段と、該画像特定手段が特定した画像を前記表示部で表示する処理を行う表示処理手段とを備えることを特徴とする。
【００１０】
第１発明にあっては、色種毎に画像を対応付けた画像テーブルを準備しておくと共に、撮像した画像に含まれる最も多い色を特定し、その色に対応する画像を画像テーブルから特定して筐体の外面に設けた表示部に表示するので、携帯電気機器の外観は周囲の色に応じて変化することになる。よって、画像テーブルの各色に対応付ける画像の内容をユーザの嗜好に合わせて予め設定しておけば、携帯電気機器の外観を様々な状況に合わせて手軽に且つフレキシブルにユーザが望むものへと変化させられる。
【００１１】
第２発明に係る携帯電気機器は、前記画像テーブルに登録してある画像は、該画像に対応付けてある色を含むことを特徴とする。
第２発明にあっては、画像テーブルの色毎に対応付けてある画像には、対応する色が含まれているので、撮像に伴い携帯電気機器の外観色が周囲の色を含むように変化するようになる。その結果、赤の洋服を着たユーザが自身の洋服を撮像すれば、携帯電気機器の外観にも赤が含まれるようになり、その日の洋服に合わせて携帯電気機器の外観をフレキシブルに変更でき、携帯電気機器のファッション性を高められる。
【００１２】
第３発明に係る携帯電気機器は、前記画像テーブルに登録してある画像は、該画像に対応付けてある色のみで形成してあることを特徴とする。
第３発明にあっては、画像テーブルの色毎に対応付けてある画像には、対応する色のみが含まれるので、撮像に伴い携帯電気機器の表示部での表示内容が全面的に周囲と同じ色に変化する。その結果、携帯電気機器の外観は、まるでカメレオンのように周囲と同色に変化して周囲に溶け込んだようになり、携帯電気機器のファッション性を高めると共に、周囲と同色に変化すると云う新たな楽しさまでをユーザに与えられるようになる。なお、携帯電気機器のカメレオン的な変化の度合を高めるためには、表示部の寸法をできるだけ大きくすることが好ましく、また、筐体の複数の面に表示部を設けて、表示部の表示する内容で外観の印象が定まるようにしておくことが好適となる。
【００１３】
第４発明に係る携帯電気機器は、外部との通信を行う通信手段と、該通信手段が着呼を受けた場合、着呼を通知する内容を前記色検出手段が検出した色の中で前記色特定手段が特定した色と相異する色で生成する内容生成手段とを備え、前記表示処理手段は、前記画像特定手段が特定した画像を背景にして前記内容生成手段が生成した内容を前記表示部で表示する処理を行うようにしてあることを特徴とする。
【００１４】
第４発明にあっては、通信手段が着呼を受けた場合、現在表示している色と相異する周囲に含まれる色で、現在の表示内容を背景にして着呼を通知する旨を表示するため、周囲の色にマッチした表示形態で、携帯電気機器が着呼状態であることをユーザに伝えられる。よって、ユーザは、周囲の色雰囲気に合った機器の外観変化により容易に着呼を受けていることを判断できるようになる。なお、着呼を通知する旨の表示色は、周囲に含まれる色の中で背景色に対して色相学における色環で反対側に位置する色を用いることが好適であり、周囲に含まれる色の中に上記の反対側に位置する色が存在しない場合は、周囲に含まれない色に関係なく上記の反対側に位置する色を用いてもよい。
【００１５】
第５発明に係る携帯電気機器は、キャラクタ画像を記憶する記憶手段と、音を検出する音検出手段とを備え、前記音検出手段が音を検出した場合、前記表示処理手段は、前記画像特定手段が特定した画像を背景にして前記キャラクタ画像を前記表示部で表示する処理を行うようにしてあることを特徴とする。
【００１６】
第５発明にあっては、キャラクタ画像を記憶しておくと共に、周囲で発生した音を検出できる音検出手段を設け、その音検出手段による音の検出に応じてキャラクタ画像を現在の表示画像を背景にして表示するので、携帯電気機器の周囲で音がすると携帯電気機器の外観にキャラクタが登場することになり、ユーザに今までにない楽しさを付与することができる。なお、キャラクタ画像は背景の画像の種類毎に複数記憶させておくと、バリエーションが豊富になり、一段とユーザへ提供できる楽しさも高めることができ、また、複数のキャラクタ画像を記憶する場合は、検出する音のレベルに応じて表示するキャラクタ画像の種類を変更し、キャラクタ画像の種類により発生している音のレベルを目安的に判断できるようにしてもよい。
【００１７】
第６発明に係る携帯電気機器は、キャラクタ画像を記憶する記憶手段と、振動を検出する振動検出手段とを備え、前記振動検出手段が振動を検出した場合、前記表示処理手段は、前記画像特定手段が特定した画像を背景にして前記キャラクタ画像を前記表示部で表示する処理を行うようにしてあることを特徴とする。
【００１８】
第６発明にあっては、キャラクタ画像を記憶しておくと共に、携帯電気機器に加わる振動を検出できる振動検出手段を設け、その振動検出手段による振動の検出に応じてキャラクタ画像を現在の表示画像を背景にして表示する。そのため、携帯電気機器へ衝撃が加えられたり、ユーザが携帯電気機器を振り回したりすることにより携帯電気機器の外観にキャラクタが登場することになり、新たな楽しさをユーザに提供できる。
【００１９】
第７発明に係る携帯電気機器は、前記画像テーブルには、特別画像が登録してあり、前記撮像手段が撮像した撮像画像に係る輝度を特定する輝度特定手段と、該輝度特定手段により特定された輝度が基準輝度未満であるか否かを判断する判断手段とを備え、前記輝度特定手段により特定された輝度が基準輝度未満であると前記判断手段で判断された場合、前記表示処理手段は、前記特別画像を前記表示部で表示する処理を行うようにしてあることを特徴とする。
【００２０】
第７発明にあっては、画像テーブルに特別画像を含ませておくと共に、撮像画像の輝度を特定して基準輝度に対する判断を行い、判断結果に基づき特別画像を表示するので、例えば、携帯電気機器の周囲が色を検出できないほど暗い場合でも、表示する特別画像により機器外観が無味乾燥になるのを防止できる。なお、特別画像としては、周囲の暗い状況に合わして、星及び月等が夜空に映る内容の画像、都会の夜景のような画像、イルミネーション的な画像等を設定することが好適である。
【発明の効果】
【００２１】
第１発明にあっては、撮像した内容に含まれる色に対応する画像を画像テーブルから特定して筐体の外面に設けた表示部に表示するので、携帯電気機器の外観を周囲の色に応じて変化でき、携帯電気機器のファッション性を向上できる。
【００２２】
第２発明にあっては、画像テーブルの色毎に対応付けてある画像には、対応する色を含ませているので、撮像を行うだけで携帯電気機器の外観色を周囲の色に合わせてコーディネートできる。
第３発明にあっては、画像テーブルの色毎に対応付けてある画像には、対応する色のみを含ませているので、撮像を行うだけで携帯電気機器の外観をカメレオンのように周囲と同じ色に変化させることができ、ユーザにユニークな楽しさを提供できる。
【００２３】
第４発明にあっては、着呼を受けた場合、現在表示している色と相異する周囲に含まれる色で、現在の表示内容を背景にして着呼の通知を表示するため、周囲の色に合わせた表示形態で、着呼状態であることをユーザに伝えられる。
第５発明にあっては、音の検出に応じてキャラクタ画像を現在の表示画像を背景にして表示するので、携帯電気機器の周囲で音がすることをキャラクタ画像の表示でユーザに伝えると云う新たな楽しさをユーザに提供できる。
第６発明にあっては、振動の検出に応じてキャラクタ画像を現在の表示画像を背景にして表示するので、携帯電気機器へ衝撃等が加えられたことをキャラクタ画像の表示でユーザに伝えると云う新たな楽しさをユーザに提供できる。
【００２４】
第７発明にあっては、画像テーブルに特別画像を含ませておくと共に、撮像画像の輝度を基準輝度と比較し、比較による判断結果に基づき特別画像を表示するので、周囲が色を検出できないほど暗い場合でも、特別画像により機器外観が飾ることができる。
【発明を実施するための最良の形態】
【００２５】
図１（ａ）（ｂ）、図２は、本発明に係る携帯電気機器の実施形態である携帯電話器１の外観を示し、本発明の携帯電話器１は周囲の色に合わせて外観色を容易に変更できることを特徴としている。なお、図１（ａ）は機器本体側の第１筐体２へ蓋側となる第２筐体３を閉じた状態にして第２筐体３の天面３ｄ側から眺めた斜視図であり、図１（ｂ）は図１（ａ）の状態から天地を逆にして第１筐体２の底面２ｄ側から眺めた斜視図であり、図２は、第２筐体３を開いた状態の斜視図である。
【００２６】
第１筐体２は、長手方向の端部にヒンジ部２ｅを突出しており、このヒンジ部２ｅに第２筐体３の突設したヒンジ回動部３ｅを回動可能に取り付けることで、携帯電話器１は第２筐体３を第１筐体２に対して開閉できるようにしている。また、携帯電話器１は、ヒンジ部２ｅに撮像レンズ及び撮像素子（ＣＣＤ又はＣＭＯＳ）等で構成される撮像部４（撮像手段に相当）を設けている。
【００２７】
蓋側の第２筐体３は、所定の厚みを有する板形状であり、閉じた状態で最も大きな外面となる天面３ｄに、天面３ｄに収まる範囲で最も大きいサイズとなる矩形の第１表示部１１を設けている。さらに、第２筐体３は、厚み方向を形成する周囲側面の中で、ヒンジ回動部３ｅを設けた側を除く三方の側面３ａ、３ｂ、３ｃに矩形の第２表示部１２、第３表示部１３、及び第４表示部１４を夫々設けている。なお、各表示部１２〜１４も、各側面３ａから３ｃに収まる範囲の中で、最も大きいものを用いている。
【００２８】
また、第２筐体３は、図２に示すように開いた状態で表出する内面３ｆに一般的な携帯電話器が具備する表示部に相当する本表示部１０を設けており、この本表示部１０に設定メニュー及び処理選択メニュー等の各種メニュー、撮像画像、並びにメール内容等の様々な内容を表示可能にしている。なお、第２筐体３は、内面３ｆのヒンジ回動部３ｅと反対側の端近辺に、通話時における相手側音声の出力用の通話スピーカ部８を設けている。
【００２９】
一方、第１筐体２は、突出するヒンジ部２ｅを除けば所定の厚みを有する板形状であり、図１（ｂ）に示す底側の外面となる底面２ｄに矩形の第５表示部を設けると共に、周囲のヒンジ部２ｅ側を除く三方の各側面２ａ、２ｂ、２ｃに第６表示部１６、第７表示部１７、及び第８表示部１８を夫々設けている。
【００３０】
なお、第１筐体２は一方の側面２ａに外部で発生する音を検出する集音マイク（音検出手段に相当）５を設け（図１（ａ）、図２参照）、図１（ｂ）に示すように反対側の他方の側面２ｃには静止画の撮像指示操作をユーザから受け付ける撮像ボタン６を設けると共に、底面２ｄのヒンジ部２ｅ側には着信音、効果音等の各種音を出力するスピーカ部７を設けている。また、図２に示すように、第２筐体３が開かれることで表出する第１筐体２の操作面２ｆには多数のキー及びボタンで構成される操作部２０が設けられると共に、操作面２ｆの端には通話時における話者の音声を集音する通話マイク９が設けられている。
【００３１】
第１表示部１１〜第８表示部１８にはカラー表示が可能な表示ディスプレイを用いており、適用できる表示ディスプレイとしては、液晶パネル、ＥＬ（Electroluminescence）ディスプレイ（カラーフィルタと組み合わせた無機ＥＬディスプレイ、有機ＥＬディスプレイ）、及びカラーフィルタと組み合わせた電子ペーパー等があり、本実施形態では液晶パネルを用いている。
【００３２】
なお、第１表示部１１〜第８表示部１８は、各表示部１１〜１８が設けられた各面２ａ〜２ｄ、３ａ〜３ｄの大部分を専有するため、各表示部１１〜１８で表示される色及び模様等により携帯電話器１の外観の印象が定まることになる。また、本実施形態の携帯電話器１は、「カメレオンモード」と云うモードを設けており、カメレオンモードでは携帯電話器１の周囲の色と同等の色を各表示部１１〜１８で表示するようにしている。
【００３３】
図３は、携帯電話器１の本発明に関連する部分の内部構成を示すブロック図である。携帯電話器１は、機器全体の各種制御を行う制御部２１に通信部２２、音検出処理部２４、振動検出処理部２５、画像処理部２７、記憶部２８、操作部２０、撮像ボタン６、第１表示インタフェース部２９、及び第２表示インタフェース部３０を内部バス１ａで接続し、内部バス１ａを通じて各部間で信号及びデータ等の送受を可能にしている。以下、携帯電話器１に含まれる各部２１、２２等を説明する。
【００３４】
通信部２２は、外部との通信を行う通信手段に相当し、他の携帯電話器との通話及びインターネット等のネットワークに対する通信を無線で行っており、第１筐体２に内蔵された内部アンテナ２３で外部からの電波を受信すると共に、所定の信号を含む電波を送信する。なお、通信部２２は、外部から電話がかけられてきた場合の着呼及びメール着信に係る着呼を受けた場合、その旨を制御部２１へ伝送する処理を行う。
【００３５】
音検出処理部２４は、図１（ａ）に示される集音マイク５と接続されており、集音マイク５が検出（集音）した音のレベル（大きさ）を判定し、判定結果（音のレベル）を制御部２１へ伝送する処理を行う。本実施形態では、音検出処理部２４は３段階で音のレベルを判定しており、具体的には５５ｄＢ以上７０ｄＢ未満の音を「小」と判定し、７０ｄＢ以上８５ｄＢ未満の音を「中」と判定し、８５ｄＢ以上の音を「大」と判定している。
【００３６】
振動検出処理部２５は、第１筐体２に内蔵されて携帯電話器１での振動を検出する振動センサ２６（振動検出手段に相当）と接続されており、振動センサ２６が検出する振動のレベル（大きさ）を判定し、判定結果（振動のレベル）を制御部２１へ伝送する処理を行う。振動センサ２６には振動ジャイロ又は加速度センサを用いており、振動による加速度を検出し、検出した数値を振動検出処理部２５へ送っている。また、振動検出処理部２５は、振動センサ２６から送られた検出数値に基づき３段階で振動レベルを判定しており、具体的には１．３Ｇ以下の振動を「小」と判定し、１．３Ｇ以上２．４Ｇ未満の振動を「中」と判定し、２．４Ｇ以上の振動を「大」と判定している。
【００３７】
画像処理部２７は、撮像素子４ａを有する撮像部４と接続されており、撮像素子４ａで撮像された撮像画像の信号に対して所定の変換処理を行う。なお、撮像部４の撮像素子４ａには水平方向に３２０画素（ピクセル）、垂直方向に２４０画素を有するものを用いている。また、画像処理部２７は、上述したカメレオンモードでは、撮像画像の中に含まれる色を検出すると共に、検出した色の撮像画像中に含まれる程度を判定する処理を行う。このようなカメレオンモードの処理に対して画像処理部２７は、撮像画像の中に含まれる色を近似する色（本実施形態では１４色）へ振り分ける近似処理を用いて色検出処理を行っており、この色検出処理を行うために図６に示す色判定表４０を内部のメモリ部（図示せず）に予め記憶している。
【００３８】
具体的に、カメレオンモードにおける画像処理部２７が行う一連の処理を説明すると、図７に示すような多数の木々が写った森の撮像画像４１が撮像素子４ａで撮像された場合、撮像画像４１を構成する各画素には、輝度値の情報に加えて色情報（Ｒ値、Ｇ値、Ｂ値）が含まれており、この画素に含まれる（Ｒ値、Ｇ値、Ｂ値）が図６の色判定表４０で規定される各色（１４色）のいずれの（Ｒ値、Ｇ値、Ｂ値）に近いかを判定し、最も近い（Ｒ値、Ｇ値、Ｂ値）の色へ、画素の色情報を近似する処理を行う。
【００３９】
例えば、水平画素座標及び垂直画素座標が共に「１０」である画素（１０、１０）が有する（Ｒ値、Ｇ値、Ｂ値）が（２、１２７、４）の場合、色判定表４０の各色の（Ｒ値、Ｇ値、Ｂ値）と比較し、各値が最も近い「緑（０、１２８、０）」を画素（１０、１０）の色として近似する処理を行う。上述した処理を撮像画像４１に含まれる全画素に対して行うことで、撮像画像４１に含まれる色に対する近似処理を行い、その近似した色で撮像画像４１に含まれる色の種類を検出する。このように画像処理部２７は色判定表４０を利用して色検出を行うので、画像処理部２７で検出可能な色は１４種類になる。
【００４０】
また、画像処理部２７は、上述した色検出を行うと、その検出した各色が撮像画像４１に含まれる程度を判定する処理を行っており、この判定処理は検出した各色の画素数をカウントすることで行っている。例えば、撮像画像４１を構成する全画素（７６８００個）に対して、画像処理部２７は、緑に近似された画素数が４２２４０個、茶に近似された画素数が１５３６０個、黄緑に近似された画素数が１１５２０個、黒に近似された画素数が７６８０個であると、カウントする。このカウントした結果に基づいて、画像処理部２７は撮像画像２７に含まれる程度が大きい色の順位を判定し、その順位を制御部２１へ伝送する処理を行う。因みに、上述した例では１位が緑、２位が茶、３位が黄緑、４位が黒と云う順位が伝えられることになる。
【００４１】
なお、画像処理部２７は、上述した色検出から判定した順位の制御部２１への伝送に関する処理を、撮像画像４１を構成する各画素の輝度値の平均が、内蔵するメモリ部（図示せず）に予め記憶している基準値（基準輝度）以上である場合に行うようにしており、基準値未満である場合は、色検出以降の処理を行わない。そのため、画像処理部２７は、撮像素子４ａの撮像画像に対して所定の変換処理を行ってから、先ず各画素の輝度値を平均する算出処理を行い、算出した平均値が基準値未満であるか否かを比較判断し、基準値未満であると判断した場合、その旨を制御部２１へ伝達する処理を行う。なお、このように輝度値が基準輝度未満である場合に、色検出等の処理を行わないのは、撮像された周囲の明るさが十分でないときは、周囲に存在する事物の色を適切に撮像して検出できないことに配慮するためである。
【００４２】
また、図３に示す記憶部２８は、本実施形態では半導体メモリを用いており、各種メニュー画像及び通常の通話・通信処理等で表示する設定画像に加えて、画像テーブル３１、キャラクタ画像テーブル３２、及びプログラム３３を予め記憶していると共に、新たなプログラム及び新たな画像等の各種データ、ファイル等を制御部２１の指示に基づき適宜記憶可能にしている。
【００４３】
図４は、記憶部２８に記憶される画像テーブル３１の内容を示しており、画像テーブル３１は、図６の色判定表４０と同じ色種類である１４色の各色に対応付けて第１画像から第１４画像を登録すると共に、撮像画像に係る輝度平均値が基準値未満であり、色特定が不可の場合に対応付けて特別画像を登録している。第１画像から第１４画像は、各画像に対応づけてある色のみで形成してあり、例えば、白に対応付けてある第１画像は白一色の内容（白ベタ画像）であり、上述した第１表示部１１から第８表示部１８に白のみを表示させるデータを含んだものになっている。
【００４４】
以下同様に、灰に対応付けてある第２画像は灰一色を表示させるデータを含み、黒に対応付けてある第３画像は黒一色を表示させるデータを含み、黄緑に対応付けてある第４画像は黄緑一色を表示させるデータを含み、緑に対応付けてある第５画像は緑一色を表示させるデータを含み、水色に対応付けてある第６画像は水色一色を表示させるデータを含んでいる。さらに、青に対応付けてある第７画像は青一色を表示させるデータを含み、紺に対応付けてある第８画像は紺一色を表示させるデータを含み、紫に対応付けてある第９画像は紫一色を表示させるデータを含み、ピンクに対応付けてある第１０画像はピンク一色を表示させるデータを含み、赤に対応付けてある第１１画像は赤一色を表示させるデータを含んでいる。さらにまた、オレンジに対応付けてある第１２画像はオレンジ一色を表示させるデータを含み、黄に対応付けてある第１３画像は黄一色を表示させるデータを含み、茶に対応付けてある第１４画像は茶一色を表示させるデータを含んでいる。また、特別画像の内容は、図１０に示すような夜景の画像を第１表示部１１に表示させるデータを含んだものである。
【００４５】
図５は、記憶部２８に記憶されたキャラクタ画像テーブル３２の内容を示しており、キャラクタ画像テーブル３２は、音の大きさに応じてキャラクタ画像３４〜３６を対応付けた音テーブル部３２ａと、振動の大きさに応じてキャラクタ画像３７〜３９を対応付けた振動テーブル部３２ｂとを含んでいる。
【００４６】
音テーブル部３２ａは、音の大きさが「小」である場合に普通の状態である猫のキャラクタ画像３４を対応付けており、以下、音の大きさが「中」である場合に少し驚いた状態の猫のキャラクタ画像３５を対応付けると共に、音の大きさが「大」である場合に非常に驚いた状態の猫のキャラクタ画像３６を対応付けている。また、振動テーブル部３２ｂは、振動の大きさが「小」である場合に普通の状態である鳥のキャラクタ画像３７を対応付けており、以下、振動の大きさが「中」である場合に少し驚いた状態の鳥のキャラクタ画像３８を対応付けると共に、振動の大きさが「大」である場合に非常に驚いた状態の鳥のキャラクタ画像３９を対応付けている。
【００４７】
記憶部２８が記憶するプログラム３３は、制御部２１が行う処理内容を規定したものであり、携帯電話器１が通話及び通信等を行うための制御処理を規定すると共に、本発明では、通常モードとカメレオンモードとを切り替える処理、カメレオンモードにおける処理内容等を適宜規定している。なお、プログラム３３の規定内容に基づく制御部２１の制御内容の詳細は後述する。
【００４８】
図３に示す操作部２０は、操作部２０を構成するキー及びボタンがユーザの操作により押圧されると、その押圧されたキー及びボタンに割り当てられている信号を制御部２１に伝送するようにしており、ユーザの操作指示を受け付ける役割を果たしている。よって、操作部２０は通話に対する操作、メールの送受信を行うための操作、インターネット上に開設された各種ウェブサイトを閲覧するための操作に加えて、モードの切替操作等を受け付けて、受け付けた操作内容を制御部２１へ伝えている。また、撮像ボタン６は、静止画撮像の操作指示を受け付けて、その旨を制御部２１へ伝送する。
【００４９】
図３に示す第１表示インタフェース部２９は、第１表示部１１〜第８表示部１８が接続されており、制御部２１の制御指示に従って記憶部２８に記憶された画像テーブル３１に登録された第１画像〜第１４画像のいずれかを各表示部１１〜１８に表示する処理を行う。また、第１表示インタフェース部２９は、制御部２１の制御指示に従って、記憶部２８に記憶されたキャラクタ画像テーブル３２に登録された各キャラクタ画像３４〜３９のいずれかを第１表示部１１のみに表示する処理を行うと共に、画像テーブル３１中の特別画像を第１表示部１１のみに表示する処理も行う。
【００５０】
また、第２表示部インタフェース部３０は、本表示部１０と接続されており、制御部２１の制御に従って、記憶部２８で記憶されている各種メニュー画像及び通常の通話・通信処理等で表示する設定画像を本表示部１０に表示する処理を行う。
【００５１】
最後に制御部２１は、操作部２０及び撮像ボタン６で受け付けるユーザの操作指示に応じて多様な制御処理を行っており、特に本実施形態では、各表示部１１〜１８で表示する内容に関して、操作部２０での操作に応じて通常モードとカメレオンモードとに切り替える処理を行う。通常モードでは、各表示部１１〜１８に何も表示しない又は所定の設定画像を表示するように、制御部２１は第１表示インタフェース部２９に制御を行う。なお、所定の設定画像を表示する場合、第１表示インタフェース部２９は記憶部２８に予め記憶されている設定画像を読み出して各表示部１１〜１８に表示する処理を行う。
【００５２】
一方、設定が通常モードからカメレオンモードへ切り替えられた場合、制御部２１は、撮像ボタン６の操作に応じて撮像部４ａで撮像を行う制御を撮像部４及び画像処理部２７に対して行うと共に、画像処理部２７から伝送されてきた順位に基づき撮像部４で撮像された撮像画像中に最も多く含まれている色を特定し、その特定した色に対応する画像を図４に示す画像テーブル３１から特定して読み出し各表示部１１〜１８で表示するように、第１表示インタフェース部２９の制御を行う。なお、各表示部１１〜１８で一旦表示が行われると、次に撮像ボタン６が操作されて新たな表示が行われるまで、表示された内容を維持するように第１表示インタフェース部２９は処理を行う。
【００５３】
よって、図７に示すような撮像画像４１が撮像された場合、上述したように緑が１位であることから、図８（ａ）に示すように携帯電話器１の第２筐体３に設けられた第１表示部１１には緑一色である第５画像に基づく緑ベタ画像５０が表示され、図示していないが他の第２表示部１２〜第８表示部１８にも同様の緑ベタ画像が表示されることになる。このような表示により、携帯電話器１の外観色は緑となり、ユーザはカメレオンモードで撮像ボタン６を押すだけで、自身の携帯電話器１の外観色を撮像部４で撮像対象の色に合わせて容易に変更できる。
【００５４】
なお、画像処理部２７から伝送されてきた内容が順位ではなく、撮像画像に係る輝度値の平均が基準値未満と云う旨である場合、制御部２１は、画像テーブル３１から夜景の特別画像５２（図１０参照）を読み出して第１表示部１１に表示すると共に、他の表示部１２〜１８には黒ベタ画像を表示するように第１表示インタフェース部２９を制御する。この制御により、携帯電話器１の周囲が暗く、周囲の色が明確に認識できない場合でも、周囲の暗い状況に合わせて携帯電話器１の外観を容易に変更できる。
【００５５】
また、制御部２１は、カメレオンモードで各表示部１１〜１８で表示を行っている場合に、通信部２２から着呼を受けた旨が伝送されたとき、「着信アリ」と云う内容の文字を生成し第１表示部１１で表示させる制御を第１表示インタフェース部２９に対して行う。この際、制御部２１は、第１表示部１１で表示する画像の色を特定するために画像処理部２７から伝送された順位に含まれる色の中で第１位以外の順位の色で文字を生成するようにしており、本実施形態では第２位の順位の色で文字を生成している。
【００５６】
そのため、図７の撮像画像４１に基づき図８（ａ）の緑ベタ画像５０を表示している場合で、携帯電話器１が外部から着呼を受けたとき、図８（ｂ）に示すように画像処理部２７から伝送された順位に含まれる色の中で第２位の色（茶）で「着信アリ」の文字５１を生成し、文字５１を緑ベタ画像５０が背景となるように、緑ベタ画像５０の上に重ねて文字５１を表示するように第１表示インタフェース部２９を制御している。なお、文字５１を表示するのは、携帯電話器１で最も目立つ位置に設けられた第１表示部１１だけであり、他の表示部１２〜１８には文字５１を表示せず、着呼以前の表示を継続するようにしている。このように第１位の色を背景にして第２位の色で文字を表示することで、周囲の色にマッチした色を用いて、外部から着信がある旨をユーザに伝達できる。
【００５７】
さらに、制御部２１は、カメレオンモードで各表示部１１〜１８で表示を行っている場合に、音検出処理部２４から判定結果（音のレベル）が伝送されたとき、伝送された結果に基づきキャラクタ画像テーブル３２の音テーブル部３２ａに登録されているキャラクタ画像３４〜３６のいずれかを第１表示部１１に表示するように第１表示インタフェース部２９を制御する。
【００５８】
具体的には、音検出処理部２４からの判定結果が「小」である場合、制御部２１は「小」に対応付けられたキャラクタ画像３４を表示する指示を第１表示インタフェース部２９へ送り、判定結果が「中」である場合は「中」に対応付けられたキャラクタ画像３５を表示する指示を第１表示インタフェース部２９へ送り、判定結果が「大」である場合は「大」に対応付けられたキャラクタ画像３６を表示する指示を第１表示インタフェース部２９へ送る。
【００５９】
制御部２１が上述した指示を送ることで、第１表示インタフェース部２９は、現在表示中の画像が背景となるように、指示対象のキャラクタ画像３４〜３６のいずれかを重ねて第１表示部１１のみに表示する処理を行う（図９（ａ）参照）。よって、ユーザは第１表示部１１に表示される猫のキャラクタ画像３４〜３６の種類（普通の状態、少し驚いた状態、非常に驚いた状態）で、周囲に発生している音のレベルを楽しい気分で判断できる。
【００６０】
さらにまた、制御部２１は、カメレオンモードで各表示部１１〜１８で表示を行っている場合に、振動検出処理部２５から伝送されてきた判定結果に基づきキャラクタ画像テーブル３２の振動テーブル部３２ｂに登録されているキャラクタ画像３７〜３９のいずれかを第１表示部１１に表示するように第１表示インタフェース部２９を制御する。
【００６１】
具体的には、振動検出処理部２５からの判定結果が「小」である場合、制御部２１は「小」に対応付けられたキャラクタ画像３７を表示する指示を第１表示インタフェース部２９へ送り、判定結果が「中」である場合は「中」に対応付けられたキャラクタ画像３８を表示する指示を第１表示インタフェース部２９へ送り、判定結果が「大」である場合は「大」に対応付けられたキャラクタ画像３９を表示する指示を第１表示インタフェース部２９へ送る。
【００６２】
制御部２１が上述した指示を送ることで、第１表示インタフェース部２９は、現在表示中の画像が背景となるように、指示対象のキャラクタ画像３７〜３９のいずれかを重ねて第１表示部１１のみに表示する処理を行う（図９（ｂ）参照）。よって、ユーザは第１表示部１１に表示される鳥のキャラクタ画像３７〜３９の種類（普通の状態、少し驚いた状態、非常に驚いた状態）を確認することで、周囲に発生している振動のレベルを楽しい気分で判断できる。
【００６３】
図１１の第１フローチャートは、各表示部１１〜１８の表示に対して、上述した制御部２１が主となって行う携帯電話器１の一連の基本的な処理手順を整理したものである。以下、この第１フローチャートに従って、携帯電話器１の処理内容を説明する。
先ず、携帯電話器１（制御部２１）は、ユーザからカメレオンモードの設定を受け付けたか否かを判断する（Ｓ１）。カメレオンモードの設定を受け付けていない場合（Ｓ１：ＮＯ）、設定待ちとなり、カメレオンモードの設定を受け付けた場合（Ｓ１：ＹＥＳ）、次に、携帯電話器１（制御部２１）はユーザによる撮像ボタン６の操作を受け付けたか否かを判断する（Ｓ２）。
【００６４】
撮像ボタン６の操作を受け付けていない場合（Ｓ２：ＮＯ）、操作待ちとなり、操作を受け付けた場合（Ｓ２：ＹＥＳ）、携帯電話器１は撮像部４で撮像を行う（Ｓ３）。それから、撮像部４で撮像した撮像画像に含まれる色の検出、検出した色に対する順位付け、及び１位の色の特定を画像処理部２７及び制御部２１で行い（Ｓ４）、特定した画像を記憶部２８から読み出して各表示部１１〜１８で表示（Ｓ５）する（図８（ａ）参照）。なお、色検出及び色特定の段階（Ｓ４）で色検出が行えず撮像画像の輝度値の平均が基準値未満であるときは、記憶部２８から特別画像を読み出して第１表示部１１に表示し（図１０参照）、他の表示部１２〜１８には黒の画像を表示することになる。
【００６５】
各表示部１１〜１８で画像表示を行ってから、携帯電話器１（制御部２１）は機器状況に応じて状況変化処理を行い（Ｓ６）、次にカメレオンモードの設定がユーザにより解除されたか否かを判断し（Ｓ７）、カメレオンモードの設定が解除されていない場合（Ｓ７：ＮＯ）、続いてユーザによる撮像ボタン６の再操作を受け付けたいか否かを判断する（Ｓ８）。撮像ボタン６の再操作を受け付けていない場合（Ｓ８：ＮＯ）、画像表示の段階（Ｓ５）へ戻る。よって、一旦、画像表示を行ってから、撮像ボタン６の再操作が行わなければ、カメレオンモードが解除されるまで画像表示の段階（Ｓ５）から撮像ボタン６の再操作の判断段階（Ｓ８）までをループし、画像が継続して表示されることになる。
【００６６】
また、操作ボタン６の再操作を受け付けた場合（Ｓ８：ＹＥＳ）、撮像部４で撮像を行う段階（Ｓ３）へ戻り、以降、この新たな撮像に基づく画像が表示されることになる。さらに、カメレオンモードの設定解除判断の段階（Ｓ７）で、カメレオンモードの設定が解除された場合（Ｓ７：ＹＥＳ）、各表示部１１〜１８での表示処理を終了する。
【００６７】
図１２の第２フローチャートは、図１１の第１フローチャートにおける状況変化処理（Ｓ６）の詳しい処理内容を示したものである。この第２フローチャートに従って状況変化処理の内容を説明すると、先ず、携帯電話器１（制御部２１）は着呼を受けたか否かを判断し（Ｓ１０）、着呼を受けた場合（Ｓ１０：ＹＥＳ）、文字色の特定を行ってから（Ｓ１１）、「着信アリ」と云う文字を特定した色で表示（Ｓ１２）を行う（図８（ｂ）参照）。なお、着呼を受けていない場合（Ｓ１０：ＮＯ）、上述した段階（Ｓ１１、Ｓ１２）を行わずに、文字表示（Ｓ１２）の次の段階（Ｓ１３）へジャンプする。
【００６８】
次に、携帯電話器１は集音マイク５で音検出を行ったか否かを判断し（Ｓ１３）、音検出を行った場合（Ｓ１３：ＹＥＳ）、音検出処理部２４で音レベルを判定し（Ｓ１４）、制御部２１は判定された音レベルに基づきキャラクタ画像を特定し（Ｓ１５）、その特定したキャラクタ画像を表示（Ｓ１６）する（図９（ａ）参照）。なお、集音マイク５が音を検出していない場合（Ｓ１３：ＮＯ）、上述した段階（Ｓ１４〜Ｓ１６）の処理を行わずにキャラクタ画像表示（Ｓ１６）の次の段階（Ｓ１７）へとジャンプする。
【００６９】
さらに、携帯電話器１は振動センサ２６で振動検出を行ったか否かを判断し（Ｓ１７）、振動検出を行った場合（Ｓ１７：ＹＥＳ）、振動検出処理部２５で振動レベルを判定し（Ｓ１８）、制御部２１は判定された振動レベルに基づきキャラクタ画像を特定し（Ｓ１９）、その特定したキャラクタ画像を表示（Ｓ２０）する（図９（ｂ）参照）。なお、振動センサ２６が振動を検出していない場合（Ｓ１７：ＮＯ）、上述した段階（Ｓ１８〜Ｓ２０）の処理を行わずに状況変化処理を終了する。
【００７０】
このように第２フローチャートに係る処理を携帯電話器１が行うことで、携帯電話器１に係る状況が変化すれば、コーディネートされた色使いの文字表示又は楽しいキャラクタの登場により、状況が変化したことをユーザに伝えることができる。なお、第２フローチャートに係る処理で表示された文字又はキャラクタ画像は、表示の原因（着呼、音検出、振動検出）が無くなれば表示されなくなる。
【００７１】
上述したように、本実施形態の携帯電話器１は、周囲を撮像するだけで、まるでカメレオンのように周囲の色と同等の色に外観を自動的に変化でき、ユーザに複雑な操作を要求することなくファッション性を高めている。そのため、例えば、ユーザが着用している洋服を撮像すれば、その日の洋服に携帯電話器１の外観色を容易にコーディネートすることも可能になる。また、携帯電話器１が着呼、音検出、及び振動検出を行えば、その状況を周囲の色にマッチした文字色又は楽しいキャラクタでユーザへ伝えることができ、ユーザへ新たな楽しさを提供できる。
【００７２】
なお、本発明は、上述した形態の携帯電話器１に限定されるものではなく、種々の変形例の適用が可能である。例えば、携帯電話器１の外観色で表示できる色種類（色数）は、図４の画像テーブル３１に示す１４色に限定されるものではなく、機器のグレード等に応じて適宜増減してもよく、また、増減する場合は図６の色判定表４０で規定される色種も同様に変更する必要がある。さらに、画像テーブル３１に登録されている各画像は、対応する色のみで形成されているもの（ベタ画像）以外の画像を登録することも可能であり、例えば、図１３に示すような模様画像６０を用いることも可能である。この模様画像６０は、ハッチング部分６０ａを、模様画像６０に対応付けられる色で着色すると共に、ハッチング部分間の箇所６０ｂを他の色で着色することで、対応付けられる色以外も含んだ画像を表示できるようになり、携帯電話器１の外観に更なるデザイン性を付加することができる。
【００７３】
さらにまた、図４の画像テーブル３１の各色に対応付ける画像は、ユーザの設定により自由に登録できるようにしてもよい。この場合は、画像テーブル３１の編集モードを設けて、操作部２０の操作に応じて編集モードへ切り替えると、本表示部１０に画像テーブル３１の内容を表示し、変更したい画像を操作部２０で選択してから、置き換える画像を記憶部２８に記憶された中から選択して、新たな画像を画像テーブル３１に登録する。このようにすることで、通信部２２でダウンロードした各種画像等も、周囲の色に対応付けて携帯電話器１の外観として表示できるようになり、ユーザの設定画像による外観のカスタマイズと云う新たな楽しみを提供できる。
【００７４】
また、図８（ｂ）の「着信アリ」の文字５１の色は、必ずしも第２位の色を用いる必要はなく、背景色に対して画像処理部２７から伝送された順位に含まれる色の中で色相学における色環で反対側にある色を用いて、文字５１を目立たせるようにすることも可能であり、画像処理部２７から伝送されてくる順位に関係なく、背景色に対して色環における反対側に位置する色を用いるようにしてもよい。さらに、図１０に示す特別画像５２の内容は、あくまで一例であり、他の内容（羊が柵を飛び越えるもの、東京タワー等のイルミネーション的なもの）を画像テーブル３１に登録することも勿論可能である。
【００７５】
さらにまた、図５に示すキャラクタ画像テーブル３２に登録されている各キャラクタ画像３４〜３９の種類も一例にすぎず、カブトムシ、クワガタ、リス等の別のキャラクタ画像を用いてもよい。さらに、各キャラクタ画像は、図４の画像テーブル３１の色毎に対応する種類を準備し、その色に応じたキャラクタ画像を表示できるようにしてもよい。例えば、森を連想する緑には、キャラクタ画像としては昆虫のカブトムシを対応付け、海を連想する青には、キャラクタ画像として魚を対応付けてもよい。
【００７６】
また、これらキャラクタ画像３４〜３９を表示する場合は、第１表示インタフェース部２９が所定の移動アルゴリズムに基づき各キャラクタ画像３４〜３９の表示位置を所定の時間間隔（例えば、０．３秒）で移動させ、表示されるキャラクタ画像３４〜３９が動くようにしてもよい。
【００７７】
さらに、携帯電話器１の外面に設ける表示部１１〜１８の個数は、８個に限定されるものではなく、筐体の形状に応じて適宜増減可能であるが、外観の印象を主に特定する天面３ｄに設ける第１表示部１１は、できるだけ大きいサイズで設けることが好ましい。また、着呼に応じた文字表示、音検出に応じたキャラクタ画像表示、振動検出に応じたキャラクタ画像表示は適宜省略して携帯電話器１の処理負担を低減させることも可能である。さらにまた、本発明の適用対象は携帯電話器に限定されるものではなく、撮像部及び筐体外面に表示部を設けた携帯電気機器（音楽プレイヤー、画像プレイヤー等）にも適用可能である。
【図面の簡単な説明】
【００７８】
【図１】本発明の実施形態に係る携帯電話器の閉じた状態を示し、（ａ）は天面側から眺めた斜視図、（ｂ）は底面側から眺めた斜視図である。
【図２】実施形態の携帯電話器を開いた状態の斜視図である。
【図３】携帯電話器の内部構成を示すブロック図である。
【図４】画像テーブルの内容を示す図表である。
【図５】キャラクタ画像テーブルの内容を示す図表である。
【図６】色判定表の内容を示す図表である。
【図７】撮像画像の一例を示す概略図である。
【図８】（ａ）は画像の表示状態を示す携帯電話器の正面図、（ｂ）は着信アリの文字表示状態を示す携帯電話器の正面図である。
【図９】（ａ）は音検出に応じたキャラクタ画像の表示状態を示す携帯電話器の正面図、（ｂ）は振動検出に応じたキャラクタ画像の表示状態を示す携帯電話器の正面図である。
【図１０】特別画像の表示状態を示す携帯電話器の正面図である。
【図１１】カメレオンモードに係る処理手順を示す第１フローチャートである。
【図１２】状況変化処理に係る処理手順を示す第２フローチャートである。
【図１３】変形例の模様画像の表示状態を示す携帯電話器の正面図である。
【符号の説明】
【００７９】
１  携帯電話器
２  第１筐体
３  第２筐体
４  撮像部
５  集音マイク
６  撮像ボタン
１１〜１８  第１表示部〜第８表示部
２０  操作部
２１  制御部
２２  通信部
２４  音検出処理部
２５  振動検出処理部
２７  画像処理部
２８  記憶部
２９  第１表示インタフェース部
３０  第２表示インタフェース部
３１  画像テーブル
３２  キャラクタ画像テーブル
４０  色判定表
【図１】
2006304112.tif 000003
【図２】
2006304112.tif 000004
【図３】
2006304112.tif 000005
【図４】
2006304112.tif 000006
【図５】
2006304112.tif 000007
【図６】
2006304112.tif 000008
【図７】
2006304112.tif 000009
【図８】
2006304112.tif 000010
【図９】
2006304112.tif 000011
【図１０】
2006304112.tif 000012
【図１１】
2006304112.tif 000013
【図１２】
2006304112.tif 000014
【図１３】
2006304112.tif 000015